(57)【要約】      （修正有）【課題】左右のアーム、フック等からなる折り畳み式ハンガーを物干し竿等に掛けて使用する場合に、風などによりハンガーが物干し竿等の係止部材から外れ難い構成にする。【解決手段】左右のアーム８、８’のそれぞれは、軸支された軸支部からアームの長手方向に対して略直交する方向に延在する左右のロッド９、９’を有し、各ロッドと支柱２とを上下動自在に束ねる枠５を備え、この枠５にはフック１を係止する係止部材からの外れを防止するためのストッパー６が突出して形成され、枠５を支柱２のフック側上方に移動して各ロッド９、９’を閉じることにより軸支部を梃子の作用点として左右のアーム８、８’が開くと共に、ストッパー６がフック１に近接して環状を形成するようにして、係止部材からフック１が外れることを防止する。【選択図】図２
0003133481.tif 000002
【実用新案登録請求の範囲】
【請求項１】
左アームの右端部と、右アームの左端部と、上端部にフックを備える支柱の下端部とが回転可能に軸支された折り畳み式ハンガーであって、
前記各アームは、前記軸支された軸支部からアームの長手方向に対して略直交する方向に延在するロッドを有し、
前記各ロッドと前記支柱とを上下動自在に束ねる枠を備え、前記枠には前記フックを係止する係止部材からの外れを防止するためのストッパーが突出して形成され、
前記枠を前記支柱のフック側上方に移動して前記各ロッドを閉じることにより前記軸支部を梃子の作用点として前記左右のアームが開くと共に、前記ストッパーが前記フックに近接して環状を形成し、前記枠が前記支柱の下方に移動することにより、前記左右のアームが下方に閉じて折り畳まれる折り畳み式ハンガー。
【請求項２】
前記各ロッドは、前記アームの長手方向に略直交する方向であって、前記アームが位置する側に膨出する湾曲した形状を有し、前記枠が前記支柱のフック側上方に移動したときは、前記湾曲したロッドにより前記枠が下方へ落下することが防止されることを特徴とする請求項１に記載の折り畳み式ハンガー。
【請求項３】
前記各ロッドは、その先端が鉤形状を有し、前記枠を前記フック側上方へ移動したときに前記枠が前記鉤形状のロッドに当接して前記枠の上方への移動を制限することを特徴とする請求項１又は請求項２に記載の折り畳み式ハンガー。
【請求項４】
前記各ロッドは、前記アームの長手方向に略直交する方向に倒立したＬ字形状を有すると共に上端部近傍の側辺には凸状部が形成され、前記枠が前記支柱のフック側上方に移動したときは、前記凸部により前記枠が係止されることを特徴とする請求項１に記載の折り畳み式ハンガー。
【請求項５】
前記枠を前記支柱の下方に移動して前記左右のアームを折り畳んだときに、前記枠の上下方向における中心位置が前記回転可能に軸支された軸支部の中心よりも下方に位置することを特徴とする請求項１〜４のいずれか１項に記載の折り畳み式ハンガー。
【請求項６】
前記左アームの左端部及び前記右アームの右端部には左下アーム及び右下アームがそれぞれ連結され、前記左アームと前記左下アームとが連結する連結部近傍の左下アームには左下フックが設置され、前記右アームと前記右下アームとが連結する連結部近傍の右下アームには右下フックが設置されていることを特徴とする請求項１〜５のいずれか１項に記載の折り畳み式ハンガー。
【請求項７】
左アームの右端部と、右アームの左端部とが回転可能に軸支された折り畳み式ハンガーであって、
前記各アームは、前記軸支された軸支部からアームの長手方向に対して略直交する方向に延在するロッドを有し、少なくとも一方の前記ロッドは、その上方先端部にアームが取り付けられ、
前記各ロッドを上下動自在に束ねる枠を備え、前記枠には前記フックを係止する係止部材からの外れを防止するためのストッパーが突出して形成され、
前記枠を前記支柱のフック側上方に移動して前記各ロッドを閉じることにより前記軸支部を梃子の作用点として前記左右のアームが開くと共に、前記ストッパーが前記フックに近接して環状を形成し、前記枠が前記支柱の下方に移動することにより、前記左右のアームが下方に閉じて折り畳まれる折り畳み式ハンガー。
【考案の詳細な説明】
【技術分野】
【０００１】
本考案は折り畳み式ハンガーに関するものであり、特に竿等にかけたときにハンガーが竿からのはずれ止め構造を備えた折り畳み式ハンガーに関するものである。
【背景技術】
【０００２】
従来から、洗濯物を干すための折り畳み式のハンガーが知られている。例えば、特許文献１には次のような折り畳み式のハンガーが記載されている。物干し竿等にハンガーを掛けるためのフックと、このフックの下部に連結する吊軸と、つまみ部、支軸及び掛け軸が一体的に連結した２本の棒状体を備え、吊軸の下部と上記２本の棒状体とが支点において回転自在に固定されている。吊軸には上下動が可能な枠が取り付けられており、この枠の内側につまみ部を挿入することができる。このハンガーを開く場合は、枠を上方に移動させてつまみ部をつまんで２本の掛け軸を開き、つまみ部の先端を枠の内側に挿入して掛け軸が開いた状態を固定する。ハンガーを閉じる場合は、枠を上方に移動してつまみ部を解放することにより２本の掛け軸を閉じられる。
【０００３】
また、特許文献２には、上部にストッパーを備えたフレームと、このフレームに対して相対的に上下動可能に連結されたフックと、開閉可能に連結された一対のアームからなるハンガーが記載されている。フレームに対してフックが上部にスライドしたときに一対のアームが閉じ、フレームに対してフックが下部にスライドしたときに、一対のアームが開き、かつストッパーが円弧状のフックの内周側に挿入される。ストッパーがフックの内周側に挿入されることにより、当該ストッパーにより物干し竿をフックの外周方向に押圧する力が働き、物干し竿からフックが外れるのを防止する。
【特許文献１】特開２００３−３２０１９７号公報
【特許文献２】特開平１１−１１４２８８号公報
【考案の開示】
【考案が解決しようとする課題】
【０００４】
しかしながら、上記特許文献１の折り畳み式ハンガーでは、フックを物干し竿等に掛け、ハンガーに洗濯物を吊るして乾燥させている間に強い風が吹いた場合など、物干し竿からハンガーが外れる、という課題があった。
【０００５】
また、特許文献２の折り畳み式ハンガーにおいては、ハンガーを開いてフックを物干し竿に掛けたときに、フックの内周側にストッパーが差し込まれるので、ストッパーが存在しない場合よりも、フックが物干し竿から外れ難い。しかし、このストッパーは、物干し竿をフックの内周側から外周側へ押圧するが、フックの開口部を閉じるものではない。そのために、ハンガーに掛けた洗濯物等に下方から上方向に向かって風が吹いて物干し竿に対してハンガーを持ち上げる力が働くと、フックの開口部から物干し竿が抜けてハンガーが外れてしまう、という課題があった。
【課題を解決するための手段】
【０００６】
本考案は、上記の課題を解決するために、以下の手段を講じた。
【０００７】
請求項１の考案においては、左アームの右端部と、右アームの左端部と、上端部にフックを備える支柱の下端部とが回転可能に軸支された折り畳み式ハンガーであって、前記各アームは、前記軸支された軸支部からアームの長手方向に対して略直交する方向に延在するロッドを有し、前記各ロッドと前記支柱とを上下動自在に束ねる枠を備え、前記枠には前記フックを係止する係止部材からの外れを防止するためのストッパーが突出して形成され、前記枠を前記支柱のフック側上方に移動して前記各ロッドを閉じることにより前記軸支部を梃子の作用点として前記左右のアームが開くと共に、前記ストッパーが前記フックに近接して環状を形成し、前記枠が前記支柱の下方に移動することにより、前記左右のアームが下方に閉じて折り畳まれる折り畳み式ハンガーとした。
【０００８】
請求項２の考案においては、前記各ロッドは、前記アームの長手方向に略直交する方向であって、前記アームが位置する側に膨出する湾曲した形状を有し、前記枠が前記支柱のフック側上方に移動したときは、前記湾曲したロッドにより前記枠が下方へ落下することが防止されることを特徴とする請求項１に記載の折り畳み式ハンガーとした。
【０００９】
請求項３の考案においては、前記各ロッドは、その先端が鉤形状を有し、前記枠を前記フック側上方へ移動したときに前記枠が前記鉤形状のロッドに当接して前記枠の上方への移動を制限することを特徴とする請求項１又は請求項２に記載の折り畳み式ハンガーとした。
【００１０】
請求項４の考案においては、前記各ロッドは、前記アームの長手方向に略直交する方向に倒立したＬ字形状を有すると共に上端部近傍の側辺には凸状部が形成され、前記枠が前記支柱のフック側上方に移動したときは、前記凸部により前記枠が係止されることを特徴とする請求項１に記載の折り畳み式ハンガーとした。
【００１１】
請求項５の考案においては、前記枠を前記支柱の下方に移動して前記左右のアームを折り畳んだときに、前記枠の上下方向における中心位置が前記回転可能に軸支された軸支部の中心よりも下方に位置することを特徴とする請求項１〜４のいずれか１項に記載の折り畳み式ハンガーとした。
【００１２】
請求項６の考案においては、前記左アームの左端部及び前記右アームの右端部には左下アーム及び右下アームがそれぞれ連結され、前記左アームと前記左下アームとが連結する連結部近傍の左下アームには左下フックが設置され、前記右アームと前記右下アームとが連結する連結部近傍の右下アームには右下フックが設置されていることを特徴とする請求項１〜５のいずれか１項に記載の折り畳み式ハンガーとした。
【００１３】
請求項７の考案においては、左アームの右端部と、右アームの左端部とが回転可能に軸支された折り畳み式ハンガーであって、前記各アームは、前記軸支された軸支部からアームの長手方向に対して略直交する方向に延在するロッドを有し、少なくとも一方の前記ロッドは、その上方先端部にアームが取り付けられ、前記各ロッドを上下動自在に束ねる枠を備え、前記枠には前記フックを係止する係止部材からの外れを防止するためのストッパーが突出して形成され、前記枠を前記支柱のフック側上方に移動して前記各ロッドを閉じることにより前記軸支部を梃子の作用点として前記左右のアームが開くと共に、前記ストッパーが前記フックに近接して環状を形成し、前記枠が前記支柱の下方に移動することにより、前記左右のアームが下方に閉じて折り畳まれる折り畳み式ハンガーとした。
【考案の効果】
【００１４】
本考案における折り畳み式ハンガーは、左アームの右端部と、右アームの左端部とを回転可能に軸支した折り畳み式ハンガーであり、各アームは、上記軸支部からアームの長手方向に略直交する方向に延在するロッドを有し、上記軸支部において下端部が軸支され、上端部にフックを固定した支柱、又は、この支柱に変えて上記いずれかのロッドの上端部にフックを備え、これら２つのロッド又はこれら２つのロッドと支柱とを上下動自在に束ねる枠を備え、この枠にフックが物干し竿等の係止部材から外れるのを防止するためのストッパーが突出して形成され、枠を上方に移動して２つのロッドを閉じることにより軸支部を梃子の作用点として左右のアームが開き、かつ、ストッパーがフックに近接して環状を形成し、枠が下方に移動することにより左右のアームが下方に閉じて折り畳まれる。これにより、左右のアームを開いてフックを物干し竿等の係止部材に掛ける場合に、ストッパーを上方に移動させることによりフックとストッパーが環状となる。即ち、物干し竿を通したフックの開口部がストッパーにより塞がれる。そのために、洗濯物等をハンガーに掛けた状態で風が吹いても物干し竿からハンガーが外れ難い、という利点を有する。
【考案を実施するための最良の形態】
【００１５】
本考案の折り畳み式ハンガーは、衣服の肩部に挿入して衣類を吊るすための一対の左アームと右アームと、上端部にフックを連結した支柱と、この支柱に挿入される枠から構成されている。左アームの右端部と支柱の下端部と右アームの左端部とは回転可能に軸支されている。各アームは、上記軸支された軸支部からアーム本体長手方向に対して略直交する方向にロッドが延在している。枠は、左アームの左ロッドと、右アームの右ロッドと、支柱とを上下動可能に束ねている。枠の上部にはフックが物干し竿等の係止部材に係止されたときに、この係止部材からフックが外れるのを防止するためのストッパーが突出して形成されている。
【００１６】
枠を支柱のフック側上部に移動することにより、左ロッドと右ロッドは軸支部を回転軸として閉じる方向に移動する。すると、この軸支部を梃子の作用点として左右のアームは開くように動作する。同時に、枠がフックに近接し、物干し竿等の係止部材を通したフックの開口部を枠の上部に形成したストッパーが塞ぐ。これにより、フックは係止部材から外れ難くなり、このハンガーに洗濯物を取り付けて屋外で乾燥させた状態で強い風が吹いても、ハンガーが物干し竿から外れ難くなる。枠を支柱の下部に移動することにより、２つのロッドの上部が解放され、左右のアームは下方に閉じる。これにより、簡単な操作でハンガーをコンパクトに収納することができる。
【００１７】
また、各ロッドは、アームの長手方向に略直交する方向であって、アームが位置する側に膨出する湾曲した形状とすることができる。即ち、左アームの左ロッドと右アームの右ロッドとは、支柱を中心にして両側に膨張する形状を有する。枠を支柱のフック側上方に移動したときは、２つのロッドが支柱を中心に外側に膨出しているので、枠が下方に落下することが防止される。これにより、枠の上部に設置したストッパーも下方へ移動し難くなり、物干し竿等の係止部材からフックがより外れ難くなる。また、左右のアームに洗濯物等を掛けることにより、アームは下方に引っ張られる。これにより、軸支部を梃子の作用点として２つのロッドが開かれる方向に力が働く。その結果、枠は湾曲する２つのロッドにより上方に押し上げられ、枠の上部に形成したストッパーは物干し竿等の係止部材を押し付けるように力が働き、フックが係止部材からより外れ難くなる。
【００１８】
また、各ロッドは、その先端を鉤形状とすることができる。２つのロッドの先端を鉤形状とすることにより、枠をフック側上方へ移動したときに枠が鉤形状のロッドに当接して枠の上方への移動が制限される。この構成により、枠がフックに押し込まれて下方へ移動し難くなることを防止することができる。従って、枠を下方に容易に移動できるので、左右のアームを容易に折り畳むことが可能となる。
【００１９】
また、各ロッドは、アームの長手方向に略直交する方向に倒立したＬ字形状を有し、ロッドの上端部近傍の側辺に凸状部を形成することができる。これにより、上下に容易に枠を移動させることができると共に、枠をフック側上方に移動したときは、枠は上記凸状部に係止するので枠が下方に落下することを防止することができる。
【００２０】
また、枠を支柱の下方に移動して左右のアームを折りたたんだときに、枠の上下方向における中心部が、上記回転可能に軸支された軸支部の中心よりも下方に位置するようにした。これにより、左アームの左端部と右アームの右端部とが当接する、或いはハンガーを正面から見て左アームの左端部と右アームの右端部とが重なる位置まで左右のアームを折り畳むことができるようになる。
【００２１】
また、左アームの左端部及び右アームの右端部には左下アーム及び右下アームをそれぞれ連結して構成することができる。左アームと左下アームと、また、右アームと右下アームとはそれぞれ略平行に設置する。これにより、ズボン等の衣類やその他の衣類を更に吊るすことができる。また、２つの下アームは左右分離しているために、アームの折り畳みが容易となり、折り畳んだときに嵩張らない、という利点を有する。また、左アームと左下アームの連結部近傍の左下アームに左下フックを、右アームと右下アームの連結部近傍の右下アームに右下フックをそれぞれ設けることができる。これらのフックを設けることにより、より多くの衣類等を吊り下げることが可能となる利点を有する。
【００２２】
更に、本考案の折り畳み式ハンガーは、衣服の肩部に挿入して衣類を吊るすための一対の左アームと右アームと、この支柱に挿入される枠から構成されている。左アームの右端部と右アームの左端部とは回転可能に軸支されている。各アームは、上記軸支された軸支部からアーム本体長手方向に対して略直交する方向にロッドが延在している。そして、いずれか一方のロッドの上端部には物干し竿等の係止部材に係止するためのフックが取り付けられている。枠は、左アームの左ロッドと、右アームの右ロッドとを上下動可能に束ねている。枠の上部にはフックが係止部材に係止されたときに、この係止部材からフックが外れるのを防止するためのストッパーが突出して形成されている。
【００２３】
枠をフック側上部に移動することにより、左ロッドと右ロッドは軸支部を回転軸として閉じる方向に移動する。すると、この軸支部を梃子の作用点として左右のアームは開くように動作する。同時に、枠がフックに近接し、係止部材を通したフックの開口部を枠の上部に形成したストッパーが塞ぐ。これにより、フックは係止部材から外れ難くなり、このハンガーに洗濯物を取り付けて屋外で乾燥させた状態で強い風が吹いても、ハンガーが物干し竿から外れ難くなる。枠を支柱の下部に移動することにより、２つのロッドの上部が解放され、左右のアームは下方に閉じる。これにより、簡単な操作でハンガーをコンパクトに収納することができる。
【００２４】
以下、図面を用いて本考案を詳細に説明する。
【００２５】
＜第１の実施形態＞
図１〜図６は本考案の第１の実施形態に係る折り畳み式ハンガーを表し、図１はハンガーを開いた状態を表す模式的な斜視図であり、図２はハンガーを各部材に分解した分解図であり、図３はハンガーを折り畳んだ状態を表す模式的な正面図であり、図４はハンガーを開いた状態を表す模式的な正面図であり、図５は枠５の部位の水平断面図であり、図６は枠５を下部に移動し、左右の下アームを上方に閉じた状態を表す模式的な正面図である。同一の部分又は同一の機能を有する部分には同一の符号を付している。
【００２６】
図１及び図２に示すように、本実施形態に係る折り畳み式ハンガーは、上端部にフック１を備える支柱２と、左右のアーム８、８’と、枠５と、左右の下アーム１３、１３’とから構成されている。支柱２の下端部には左右のアーム８、８’を回転可能に軸支するための貫通孔４が形成されている。支柱２の表側辺部及び図示しない裏側の裏側辺部には凸部３、３’が形成されている。この凸部３、３’を形成することにより、後述する左右のロッド９、９’の支柱２に対する可動性を向上させている。
【００２７】
左アーム８の右端部には左アーム８を回転可能に軸支するための貫通孔１０が形成されている。左アーム８には、上記軸支部から左アーム８本体長手方向に対して略直交する方向に延在する左ロッド９が形成されている。左ロッド９は先端が鉤型を有する鉤形状部１７を備え、左アーム８本体方向に膨出する湾曲した形状を有する。左アーム８の左端部には左下アーム１３と連結するための突起軸１２を備えた左連結部材１８が形成されている。
【００２８】
右アーム８’の左端部には、支柱２の貫通孔４及び左アーム８の貫通孔１０に嵌合して軸支するための突起軸１１が形成されている。右アーム８’には、上記軸支部から右アーム８’本体長手方向に対して略直交する方向に延在する右ロッド９’が形成されている。右ロッド９’は先端が鉤型を有する鉤型形状部１７’を備え、右アーム８’本体方向に膨出する湾曲した形状を有する。右アーム８’の右端部には右下アーム１３’と連結するための突起軸１２’を備えた右連結部材１８’が形成されている。
【００２９】
枠５には、その上部にストッパー６が突出して形成されている。枠５の中心には四角形の孔７が穿設されている。枠５は、孔７に左右のロッド９、９’と支柱２が挿入され、これらの部材を上下動自在に束ねている。右アーム８’の突起軸１１に支柱２の貫通孔４及び左アーム８の貫通孔１０が回転可能に装着されている。
【００３０】
左下アーム１３の左端部には左アーム８の左連結部材１８と連結するための連結部１４が突出して形成されている。この連結部１４には貫通孔１５が穿設され、突起軸１２と嵌合して左下アーム１３を左アーム８に回転可能に連結している。右下アーム１３’の右端部には右アーム８’の右連結部材１８’と連結するための連結部１４’が突出して形成されている。この連結部１４’には貫通孔１５’が穿設され、突起軸１２’と嵌合して右下アーム１３’を右アーム８’に回転可能に連結している。また、左右の下アーム１３、１３’の各連結部１４、１４’の下部には、左右の下フック１６、１６’が設置されている。左右のアーム８、８’の下部に左右の下アーム１３、１３’や、左右の下フック１６、１６’を設けることにより、より多くの衣類等を吊り下げることができる。
【００３１】
また、左アーム８の左端部の突起部２１に、左下アーム１３の左端部２２が当接する。そのために、ハンガーが開いて物干し竿等の係止部材に吊り下げられると、左下アーム１３は略水平方向を向いた状態を維持する。同様に、右アーム８’の右端部の突起部２１’に、右下アーム１３’の右端部２２’が当接する。そのため、ハンガーが開いて係止部材に吊り下げられると、右下アーム１３’は略水平方向を向いた状態を維持する。
【００３２】
図１においては、枠５がフック１側上部に移動した状態を表している。枠５をフック１側上部に移動することにより、左右のロッド９、９’は支柱２側に束ねられるので、突起軸１１を梃子の作用点として、左右のアーム８、８’は水平方向に開く。また、ストッパー６はフック１に近接し、フック１とストッパー６により環状を形成する。このようにストッパー６が上部に移動するので、フック１を物干し竿等の係止部材に装着したとき、その係止部材からフック１が外れることを防止する。また、左右のロッド９、９’は支柱を中心にして外側に膨出する湾曲した形状を有する。そのために、上部に移動した枠５は下方に落下することが防止される。また、左右のロッド９、９’の先端部は、それぞれ左右の鉤形状部１７、１７’を有する。上方へ移動した枠５はこの左右の鉤形状部１７、１７’に当接して更に上方へスライドすることが防止される。従って、枠５がフック１に食い込んで固定してしまうことを防止することができる。
【００３３】
また、左右のアーム８、８’に洗濯物等の衣類を吊り下げた場合には、突起軸１１を梃子の作用点として左右のロッド９、９’を左右に開く方向に力が作用する。左右のロッド９、９’の上部は閉じるように湾曲しているので、上記力は枠５をフック１側上方へ押し上げるように作用する。その結果、ストッパー６は係止部材を下方から上方へ押し上げるように作用するので、フック１が係止部材からより外れないように働く。
【００３４】
上記折り畳み式ハンガーの各部材は、金属、プラスチック、木等の材料により形成することができる。金属を使用する場合にはアルミニュウム合金やチタン合金等を、またプラスチック材料を使用すれば、より軽量かつ堅牢に構成することができる。また、右アーム８’の突起軸１１を貫通孔とし、支柱２の貫通孔４に代えて両側に突出する突起部として左右のロッド９、９’と支柱２とを回転可能に連結しても良い。要は、各部材を回転可能に連結することができればよい。同様に、左アーム８と左下アーム１３との連結や右アーム８’と右下アーム１３’との連結は、突起部と貫通孔が嵌合する構成に代えて、他の連結方法或いは一体的に形成してもよい。
【００３５】
図３は、枠５を支柱２の下方に移動してハンガーを折り畳んだ状態を示している。枠５を支柱２の下方に移動することにより、左右のロッド９、９’の上部は枠５からの束縛から解放され、左右のアーム８、８’は突起軸１１を回転中心Ｐとして下方に折り畳むことができる。この場合に、左アーム８の右端部の外周部１９及び右アーム８’の左端部の外周部１９’を円弧形状に形成する。また、左アーム８の右端部２０及び右アーム８’の左端部２０’の上下方向の幅を枠５の孔７の大きさとの関係において適切に設定することにより、枠５の上下方向の中心位置Ｈを突起軸１１の回転中心Ｐよりも下方において停止させることができる。これにより、左右のアーム８、８’の突出部２１、２１’が互いに当接する、あるいは、左右のアーム８、８’が正面から見て互いに重なるようにコンパクトに折り畳むことが可能となる。また、左アーム８の右端部２０及び右アーム８’の左端部２０’を、左右のアーム８、８’本体よりも膨らませることにより、枠５の下方への落下を防止することができる。
【００３６】
また、左下アーム１３は左アーム８に対して突起軸１２により回転可能に連結されている。同様に、右下アーム１３’は右アーム８’に対して突起軸１２により回転可能に連結されている。そのために、左右の下アーム１３、１３’を左右のアーム８、８’側によりコンパクトに畳むことができる。また、左アーム８の右端部２３及び右下アーム１３’の左端部２３’のそれぞれは、半月状の円弧形状を有する。これにより、左右の下アーム１３、１３’を容易に折り畳むことができる。
【００３７】
次に、図４〜図６を用いて、枠５の移動をより具体的に説明する。図４に示すように枠５がフック１側上部に係止されており、枠５の上部に設置されたストッパー６はフック１と共に円環の形状をなしている。左右のロッド９、９’は外側に膨出する湾曲した形状を有している。そのために、枠５の落下が防止される。枠５は左右の鉤形状部１７、１７’に当接している。そのために、枠５がフック１に食い込むことがない。また、左右のロッド９、９’は、左右のアーム８、８’及び左右の下アーム１３、１３’が重力により下方に引っ張られている。その結果、左右のロッド９、９’には外側に開く力が働いている。枠５はこの外側に開く力によりフック１側上方に押し上げられている。そのために、ストッパー６の下方への移動がロックされた状態を維持する。フック１とストッパー６の円環の中に物干し竿等の係止部材を挿入した場合、上記ストッパー６がロック状態となるので、係止部材からハンガーが外れ難い。
【００３８】
図５は、図４に示すＡ−Ａ’線による断面図であって、枠５が左右のロッド９、９’及び支柱２を束ねている状態を表している。支柱２の表側辺部には凸部３が、裏側辺部には凸部３’が形成されている。この表裏の凸部３、３’は、左右のロッド９、９’と同程度の厚さを有する。そのために、枠５内の孔７において、左右のロッド９、９’はスムーズな可動が可能となる。
【００３９】
図６は枠５を下方に移動した状態を表している（図４において、枠５’、ストッパー６’）。また、左右の下アーム１３、１３’が、突起軸１２、１２’を回転軸として折り畳まれた状態を表している。枠５が下方に移動することにより、ストッパー６が下方に移動し、物干し竿等の係止部材からハンガーを容易に取り外すことができるようになる。
【００４０】
＜第２の実施形態＞
図７と図８は、本考案の第２の実施形態に係る折り畳み式ハンガーを表し、図７がハンガーを開いた状態の模式的な斜視図であり、図８がハンガーを各部材に分解した分解図である。同一の部分又は同一の機能を有する部分には同一の符号を付している。
【００４１】
図７と図８において、図１〜図６に示した折り畳み式ハンガーと異なる部分は、左右のアーム８、８’が軸支される軸支部からアームの長手方向に対して略直交する方向に延在する左右のロッド２８、２８’の形状と、左右のアーム８、８’のそれぞれに連結する左右の下アーム３２、３２’の形状である。本実施形態においては、左右のロッド２８、２８’は支柱２と同様に板状の形状を有している。また、左右の下アーム３２、３２’は、左下アーム３２の右端部及び右下アーム３２’の左端部は直線状に切り出した断面形状を有する。その他の部分は、図１〜図６において説明した形状と同一である。従って、以下同一の部分は説明を省略し、異なる部分について説明する。また、同一の部分又は同一の機能を有する部分には同一の符号を付した。
【００４２】
左ロッド２８は倒立Ｌ字形状を有し、先端部に左突起形状部２９、左辺部には左下凸状部３０と左上凸状部３１を備えている。同様に、右ロッド２８’は倒立Ｌ字形状を有し、先端部に右突起形状部２９’、右辺には右下凸状部３０’、右上凸状部３１’を備えている。左右の突起形状部２９、２９’は、枠５をフック側上方に移動したときに枠５が当接して、フック１に枠が食い込むことを防止している。左右の下凸状部３０、３０’及び左右の上凸状部３１、３１’は、枠５を上方向に移動したとき、及び枠５を下方向に移動したときに、枠５を上側及び下側に固定させるために設けている。このように、左右のロッド２８、２８’を倒立Ｌ字形状としたので、枠５を上下方向に容易に移動させることができる。
【００４３】
枠５を下方に移動させることにより、左右のロッド２８、２８’の上部は枠５から解放されて、左右のアーム８、８’は突起軸１１を回転中心として下方に折り畳むことができる。また、左右の下アーム３２、３２’は、左右のアーム８、８’に左右の突起軸１２、１２’を介して回転可能に連結している。従って、折り畳む際には左右の下アーム３２、３２’を左右のアーム８、８’側にそれぞれ倒すことができるので、よりコンパクトに折り畳むことが可能となる。
【００４４】
＜第３の実施形態＞
図９と図１０は、本考案の第３の実施形態に係る折り畳み式ハンガーを表し、図９がハンガーを開いた状態の模式的な正面図であり、図１０がハンガーを分解した分解図である。本第３の実施形態においては、上記第２の実施形態に係る折り畳み式ハンガーから支柱２を除去している。以下、図７及び図８に示した第２の実施形態と異なる部分について説明し、同一の部分については説明を省略する。また、同一の部分又は同一の機能を有する部分には同一の符号を付している。
【００４５】
図９及び図１０に示すように、支柱２を除去し、右ロッド２８’の上端部にフック１’を設置した。また、右ロッド２８’の右辺には凸部３５を形成している。この凸部３５を形成することにより、右アーム８’の突起軸１１と左アーム８の貫通孔１０を嵌合して回転可能に連結したときに、互いにスムーズに回転させることができる。枠５の孔７に左ロッド２８と右ロッド２８’を挿入して上下動自在に束ねる。枠５を上部に移動することにより、左右のアーム８、８’は突起軸１１を梃子の作用点として水平方向に開く。同時に、ストッパー６がフック１’に近接して環状を形成する。これにより、フック１’が物干し竿等の係止部材から外れることを防止する。枠５を下方に移動することにより（図９の枠５’、ストッパー６’）、左右のロッド２８、２８’の上部は枠５から解放されて、左右のアーム８、８’を折り畳むことができる。左右の下アーム３２、３２’は、上記第２の実施例と同様にコンパクトに折り畳むことができる。
【００４６】
このように、支柱２を除去してフック１’を右ロッド２８’の上端部に設置することにより、ハンガーを構成する部材を減らすことができる。その他の構成及びその機能は第１の実施形態又は第２の実施形態と同様である。
【図面の簡単な説明】
【００４７】
【図１】本考案の実施形態に係る折り畳み式ハンガーの模式的な斜視図である。
【図２】本考案の実施形態に係る折り畳み式ハンガーの分解図である。
【図３】本考案の実施形態に係る折り畳み式ハンガーの模式的な正面図である。
【図４】本考案の実施形態に係る折り畳み式ハンガーの模式的な正面図である。
【図５】本考案の実施形態に係る折り畳み式ハンガーのロッド部の模式的な水平断面図である。
【図６】本考案の実施形態に係る折り畳み式ハンガーの模式的な正面図である。
【図７】本考案の実施形態に係る折り畳み式ハンガーの模式的な斜視図である。
【図８】本考案の実施形態に係る折り畳み式ハンガーの分解図である。
【図９】本考案の実施形態に係る折り畳み式ハンガーの模式的な正面図である。
【図１０】本考案の実施形態に係る折り畳み式ハンガーの分解図である。
【符号の説明】
【００４８】
１、１’  フック
２  支柱
３  凸部
４  貫通孔
５  枠
６  ストッパー
７  孔
８  左アーム
８’  右アーム
９  左ロッド
９’  右ロッド
１３  左下アーム
１３’  右下アーム
【図１】
0003133481.tif 000003
【図２】
0003133481.tif 000004
【図３】
0003133481.tif 000005
【図４】
0003133481.tif 000006
【図５】
0003133481.tif 000007
【図６】
0003133481.tif 000008
【図７】
0003133481.tif 000009
【図８】
0003133481.tif 000010
【図９】
0003133481.tif 000011
【図１０】
0003133481.tif 000012